(57)【要約】【課題】ＲＦＩＤの機能性を利用して制御盤の製造から廃棄までの管理を一貫的に支援することを可能とする制御盤管理支援システムの提供。【解決手段】制御盤管理支援システム１は、管理対象の各制御盤２やそれらに組み込まれている制御盤部品３に関する各種データを格納する制御盤データベース８を備える。制御盤データベースにおけるデータの格納は、制御盤部品を個々に識別するための部品識別情報、制御盤を個々に識別するための盤識別情報、及び前記制御盤における制御盤部品の組込み位置座標を個々に識別するための盤内座標識別情報の各識別情報のいずれかを検索キーとした検索により必要なデータの抽出を可能とするデータ構造でなされる。そして各識別情報は、制御盤部品や制御盤に付されるＲＦＩＤ４から取得する。【選択図】  図１
2010009397.tif 000002
【特許請求の範囲】
【請求項１】
種々の制御盤部品が組み込まれてなる制御盤の管理を支援するための制御盤管理支援システムにおいて、
管理対象の各制御盤や各管理対象制御盤に組み込まれている前記制御盤部品に関する各種データを格納する制御盤データベースを備え、
前記制御盤データベースにおける前記各種データの格納は、前記制御盤部品を個々に識別するための部品識別情報、前記制御盤を個々に識別するための盤識別情報、及び前記制御盤における前記制御盤部品の組込み位置座標を個々に識別するための盤内座標識別情報の各識別情報のいずれかを検索キーとした検索により必要なデータの抽出を可能とするデータ構造でなされ、
前記部品識別情報の取得は、当該部品識別情報が記録され、前記制御盤部品に取り付けられて用いられる部品用の電子読取り式識別情報媒体から読み取ることでなされ、
前記盤識別情報は、当該盤識別情報が記録され、前記制御盤に取り付けられて用いられる盤用の電子読取り式識別情報媒体から読み取ることでなされ、
前記盤内座標識別情報は、当該盤内座標識別情報が記録され、前記制御盤内における該当の座標位置に取り付けられて用いられる盤内座標用の電子読取り式識別情報媒体から読み取ることでなされるようにされていることを特徴とする制御盤管理支援システム。
【請求項２】
前記制御盤データベースは、識別情報データベース、部品データベース、製造データベース、盤図書データベース、及び保守データベースを下位データベースとして含んで構成され、
前記識別情報データベースは、前記各管理対象制御盤の前記盤識別情報、前記各管理対象制御盤における前記盤内座標識別情報、及び前記各管理対象制御盤に組み込まれている前記制御盤部品の前記部品識別情報が格納され、前記部品データベースは、前記各管理対象制御盤に組み込まれている前記制御盤部品に関するデータである部品データが一定の分類基準で分類されて格納され、前記製造データベースは、前記各管理対象制御盤の製造に関するデータである製造データが一定の分類基準で分類されて格納され、前記盤図書データベースは、前記各管理対象制御盤の設計に関するデータである盤図書データが一定の分類基準で分類されて格納され、前記保守データベースは、前記各管理対象制御盤の保守に関するデータである保守データが一定の分類基準で分類されて格納されていることを特徴とする請求項１に記載の制御盤管理支援システム。
【請求項３】
前記部品データベースは、前記部品データとして部品仕様データ、部品原料データ、部品メーカデータ、部品取扱説明書データが格納され、前記製造データベースは、前記製造データとして部品実装図データ、作業指示図データ、製造作業管理データが格納され、前記盤図書データベースは、前記盤図書データとして、展開接続図データ、制御ソフトデータ、取扱説明書データが格納され、前記保守データベースは、前記保守データとして点検記録データが格納されていることを特徴とする請求項２に記載の制御盤管理支援システム。
【請求項４】
前記各識別情報のいずれかを検索キーとして前記制御盤データベースを検索することで必要なデータを抽出する情報処理装置を備え、前記情報処理装置によるデータの検索・抽出は、前記各識別情報のいずれかを前記電子読取り式識別情報媒体から読み取って前記情報処理装置に取り込む過程、前記制御盤データベースについての選択画面を表示画面に表示する過程、前記過程で表示された選択画面で前記制御盤データベースにおける前記各下位データベースから必要な下位データベースを選択する過程、前記過程で選択された下位データベースについての選択画面を表示画面に表示する過程、前記過程で表示された選択画面で前記下位データベースにおける前記データ格納分類から必要なデータ格納分類を選択する過程、前記過程で選択されたデータ格納分類について前記各識別情報のいずれかを検索キーとして検索し、当該検索キーに対応するデータを抽出する過程を含むことを特徴とする請求項２又は請求項３に記載の制御盤管理支援システム。
【請求項５】
前記電子読取り式識別情報媒体としてＲＦＩＤを用いるようにされていることを特徴とする請求項１〜請求項４のいずれか１項に記載の制御盤管理支援システム。
【発明の詳細な説明】
【技術分野】
【０００１】
本発明は、制御盤の管理を支援するのに用いられる制御盤管理支援システムに関する。
【背景技術】
【０００２】
ＩＴ技術の進展に伴って、ＩＣタグに代表されるＲＦＩＤあるいはバーコードや２次元コードなどのような電子的に読取り可能な識別情報媒体（以下、電子読取り式識別情報媒体と呼ぶ）の様々な分野への利用が進んでいる。制御盤の製造や保守における管理ないしその支援に関する分野もその１つで、例えば特許文献１〜特許文献３に開示の例で知られるように、制御盤やそれに組み込まれる制御盤部品にＩＣタグなどの電子読取り式識別情報媒体を取り付け、その電子読取り式識別情報媒体から読み取る制御盤や制御盤部品の識別情報を情報処理システム上で処理することにより、制御盤の管理を支援できるようにしている。
【０００３】
【特許文献１】特開２００７−３１７８６６号公報
【特許文献２】特開２００７−２３３５６６号公報
【特許文献３】特開２００５−１１２４８０号公報
【発明の開示】
【発明が解決しようとする課題】
【０００４】
ＲＦＩＤやバーコードなどの電子読取り式識別情報媒体を利用することは制御盤の製造や保守における管理の支援にとって有効性が高いといえる。しかし従来では特許文献１〜特許文献３に開示の例のように、制御盤の製造段階での管理において電子読取り式識別情報媒体を利用しているだけであり、制御盤の管理支援に電子読取り式識別情報媒体の機能性が十分に活かされていない。
【０００５】
制御盤は、部品メーカなどから調達した制御盤部品を用いて製造メーカで製造され、それからプラント現場などに設置されて制御に使用されるとともに、使用中に一定期間ごとに保守を受け、そして最後に耐用年数の経過などにより廃棄されるという過程を経る。こうした一連の過程では、制御盤やそれに組み込まれている制御盤部品に関する各種情報ないしデータが共通的に使用される場合が少なくない。したがって電子読取り式識別情報媒体の機能性を利用して制御盤や制御盤部品に関する各種データを製造から廃棄の過程まで一貫的に共用できるようにすることができれば、より効率的な管理が可能となるといえる。
【０００６】
本発明はこのような観点からなされたものであり、その課題は、電子読取り式識別情報媒体の機能性を利用して制御盤の製造から廃棄までの管理を一貫的に支援することを可能とする制御盤管理支援システムの提供にある。
【課題を解決するための手段】
【０００７】
本発明では上記課題を解決するために、種々の制御盤部品が組み込まれてなる制御盤の管理を支援するための制御盤管理支援システムにおいて、管理対象の各制御盤や各管理対象制御盤に組み込まれている前記制御盤部品に関する各種データを格納する制御盤データベースを備え、前記制御盤データベースにおける前記各種データの格納は、前記制御盤部品を個々に識別するための部品識別情報、前記制御盤を個々に識別するための盤識別情報、及び前記制御盤における前記制御盤部品の組込み位置座標を個々に識別するための盤内座標識別情報の各識別情報のいずれかを検索キーとした検索により必要なデータの抽出を可能とするデータ構造でなされ、前記部品識別情報の取得は、当該部品識別情報が記録され、前記制御盤部品に取り付けられて用いられる部品用の電子読取り式識別情報媒体から読み取ることでなされ、前記盤識別情報は、当該盤識別情報が記録され、前記制御盤に取り付けられて用いられる盤用の電子読取り式識別情報媒体から読み取ることでなされ、前記盤内座標識別情報は、当該盤内座標識別情報が記録され、前記制御盤内における該当の座標位置に取り付けられて用いられる盤内座標用の電子読取り式識別情報媒体から読み取ることでなされるようにされていることを特徴としている。
【０００８】
このような制御盤管理支援システムによれば、電子読取り式識別情報媒体の機能性、つまり電子読取り式識別情報媒体から読み取る識別情報を情報処理システム上で処理して利用するという機能性を有効に活用することで、例えば製造段階で部品識別情報、盤識別情報、盤内座標識別情報の各識別情報を制御盤部品に関する部品データ、制御盤の製造に関する製造データ、制御盤の設計に関する盤図書データなどと関連付けることができ、そしてこの製造段階で各識別情報と関連付けられた各種データを、例えば保守の際に製造段階と共通の識別情報により情報処理システム上で利用することができるというように、制御盤や制御盤部品に関する各種データを制御盤の製造から廃棄の過程まで一貫的に共用できるようになり、したがって制御盤の製造から廃棄までの管理を一貫的に支援できるようになり、それらの管理をより効率的に行えるようになる。
【０００９】
本発明では上記のような制御盤管理支援システムについて、前記制御盤データベースは、識別情報データベース、部品データベース、製造データベース、盤図書データベース、及び保守データベースを下位データベースとして含んで構成され、前記識別情報データベースは、前記各管理対象制御盤の前記盤識別情報、前記各管理対象制御盤における前記盤内座標識別情報、及び前記各管理対象制御盤に組み込まれている前記制御盤部品の前記部品識別情報が格納され、前記部品データベースは、前記各管理対象制御盤に組み込まれている前記制御盤部品に関するデータである部品データが一定の分類基準で分類されて格納され、前記製造データベースは、前記各管理対象制御盤の製造に関するデータである製造データが一定の分類基準で分類されて格納され、前記盤図書データベースは、前記各管理対象制御盤の設計に関するデータである盤図書データが一定の分類基準で分類されて格納され、前記保守データベースは、前記各管理対象制御盤の保守に関するデータである保守データが一定の分類基準で分類されて格納されていることを好ましい形態とする。このようにすることにより、制御盤の製造から廃棄までの一貫的な管理の支援に必要なデータについて最適なデータベースを構築することができ、より効率的な管理が可能となる。
【００１０】
また本発明では上記のような制御盤管理支援システムについて、前記部品データベースは、前記部品データとして部品仕様データ、部品原料データ、部品メーカデータ、部品取扱説明書データが格納され、前記製造データベースは、前記製造データとして部品実装図データ、作業指示図データ、製造作業管理データが格納され、前記盤図書データベースは、前記盤図書データとして、展開接続図データ、制御ソフトデータ、取扱説明書データが格納され、前記保守データベースは、前記保守データとして点検記録データが格納されていることを好ましい形態とする。このようにすることにより、制御盤の製造から廃棄までの一貫的な管理の支援に必要なデータを網羅することができ、より効率的な管理が可能となる。
【００１１】
また本発明では上記のような制御盤管理支援システムについて、前記各識別情報のいずれかを検索キーとして前記制御盤データベースを検索することで必要なデータを抽出する情報処理装置を備え、前記情報処理装置によるデータの検索・抽出は、前記各識別情報のいずれかを前記電子読取り式識別情報媒体から読み取って前記情報処理装置に取り込む過程、前記制御盤データベースについての選択画面を表示画面に表示する過程、前記過程で表示された選択画面で前記制御盤データベースにおける前記各下位データベースから必要な下位データベースを選択する過程、前記過程で選択された下位データベースについての選択画面を表示画面に表示する過程、前記過程で表示された選択画面で前記下位データベースにおける前記データ格納分類から必要なデータ格納分類を選択する過程、前記過程で選択されたデータ格納分類について前記各識別情報のいずれかを検索キーとして検索し、当該検索キーに対応するデータを抽出する過程を含むことを好ましい形態とする。このようにすることにより、制御盤の製造から廃棄までの一貫的な管理支援で必要となる膨大なデータを保持している制御盤データベースに対する識別情報を検索キーとしたデータの検索・抽出を効率的に行えるようになり、より効率的な管理が可能となる。
【００１２】
また本発明では上記のような制御盤管理支援システムについて、前記電子読取り式識別情報媒体としてＲＦＩＤを用いることを好ましい形態とする。このようにすることにより、電子読取り式識別情報媒体の読取りを適切な距離による遠隔読取りで行うことができ、電子読取り式識別情報媒体の読取りについて作業をより効率的に行えるようになる。
【発明の効果】
【００１３】
以上のような本発明によれば、電子読取り式識別情報媒体の機能性を利用して制御盤の製造から廃棄までの管理を一貫的に支援することを可能となり、より効率的に管理を行えるようになる。
【発明を実施するための最良の形態】
【００１４】
以下、本発明を実施するための形態について説明する。図１に一実施形態による制御盤管理支援システム１の構成を模式化して示す。制御盤管理支援システム１は、例えば１つのプラントで使用される範囲を単位とした複数の制御盤２（２ａ、２ｂ、…２ｘ）を管理対象とし、制御盤２の製造から廃棄までの管理を一貫的に支援する。具体的には、盤識別情報と部品識別情報及び盤内座標識別情報の各識別情報のいずれかを検索キーとした検索により必要なデータの抽出を可能とするデータ構造により、制御盤２や制御盤部品３に関する各種データについてのデータベースを構築し、その各識別情報と連携したデータベースにより制御盤管理に必要なデータを提供できるようにすることで制御盤２の製造から廃棄までの管理を一貫的に支援できるようにする。
【００１５】
ここで、盤識別情報は、制御盤２ａ、２ｂ、…２ｘを個々に識別するためにそれぞれに与えられる識別情報であり、部品識別情報は、制御盤２に組み込まれている各種の制御盤部品３（図１の例では電源装置３ａ、コントローラ３ｂ、Ｉ/Ｏモジュール３ｃ、電磁開閉器３ｄ、継電器３ｅ、端子台３ｆが示されている）を個々に識別するためにそれぞれに与えられる識別情報であり、盤内座標識別情報は、制御盤２における制御盤部品３の組込み位置座標を個々に識別するための識別情報である。
【００１６】
以上のような機能のために制御盤管理支援システム１は、ＲＦＩＤ４（４ａ、４ｂ、４ｃ）、ＲＦＩＤリーダ５、情報処理装置６、サーバ装置７に搭載された制御盤データベース８を主な要素として構成される。
【００１７】
ＲＦＩＤ４は、識別情報媒体（電子読取り式識別情報媒体）であり、これには部品用ＲＦＩＤ４ａと盤用ＲＦＩＤ４ｂ及び盤内座標用ＲＦＩＤ４ｃがある。
【００１８】
部品用ＲＦＩＤ４ａは、部品識別情報が記録される識別情報媒体であり、制御盤部品３の個々に取り付けて用いられる。部品用ＲＦＩＤ４ａの制御盤部品３への取り付けは、資材部門が制御盤部品を調達した時点で行うのが通常である。
【００１９】
図２の（ａ）に部品用ＲＦＩＤ４ａのデータ記録構造の例を示す。図の例では、制御盤部品３の機能的な種類を表す部品名称が記録される部品名記録域１１、同一の種類における型式が記録される型式記録域１２、及び部品識別情報が記録される部品識別情報記録域１３が設けられている。このような部品用ＲＦＩＤ４ａは好ましくは、制御盤部品の種類ごとに用意され、さらに同一種類における型式ごとに用意され、部品用であること、それに使用対象の部品種類や型式を外見的に判別できるようにされる。ただし、部品識別情報記録域１３には、部品識別情報として例えば連続的な識別番号などを用いる場合であれば、その連続識別番号が種類や型式にかかわりなく記録される。
【００２０】
盤用ＲＦＩＤ４ｂは、盤識別情報が記録される識別情報媒体であり、制御盤２の個々に取り付けて用いられる。盤用ＲＦＩＤ４ｂの制御盤２への取り付けは、資材部門が制御盤ボックスを調達した時点で制御盤ボックスに取り付けることで行うか、あるいは制御盤２の製造を開始する時点で制御盤ボックスに取り付けることで行うのが通常である。
【００２１】
図２の（ｂ）に盤用ＲＦＩＤ４ｂのデータ記録構造の例を示す。図の例では、制御盤２の機能的な種類を表す制御盤の名称が記録される制御盤名記録域１４と盤識別情報が記録される盤識別情報記録域１５が設けられている。このような部品用ＲＦＩＤ４ａは好ましくは、制御盤部品の種類ごとに用意され、盤用であること、それに使用対象の制御盤種類を外見的に判別できるようにされる。ただし、盤識別情報記録域１５には、盤識別情報例えば連続的な識別番号などを用いる場合であれば、その連続識別番号が種類にかかわりなく記録される。
【００２２】
盤内座標用ＲＦＩＤ４ｃは、盤内座標識別情報が記録される識別情報媒体であり、制御盤部品３の組込み位置を特定するために制御盤２に設定されるＸＹ座標に関するＸ方向組付けライン（これはＹ座標で規定される）とＹ方向組付けライン（これはＸ座標で規定される）のそれぞれに対応させるようにして制御盤２の部品組付け面に取り付けて用いられる。盤内座標用ＲＦＩＤ４ｃの制御盤２への取り付けは、制御盤２の製造を開始する時点で行うのが通常である。
【００２３】
図２の（ｃ）に盤内座標用ＲＦＩＤ４ｃのデータ記録構造の例を示す。図の例では、座標方向が記録される座標方向記録域１６と盤内座標識別情報が記録される盤内座標識別情報記録域１７が設けられている。このような盤内座標用ＲＦＩＤ４ｃは好ましくは、座標方向ごとに用意され、Ｘ座標用やＹ座標かを外見的に判別できるようにされる。
【００２４】
ＲＦＩＤリーダ５は、ＲＦＩＤ４からそれに記録されている情報を電子的に読み取るのに用いられ、情報処理装置６と無線ＬＡＮなどで接続されることで、ＲＦＩＤ４から読み取った情報を情報処理装置６に取り込ませることができるようにされている。
【００２５】
情報処理装置６は、例えばタブレットＰＣあるいはノートパソコンなどの携帯型情報端末で構成され、盤識別情報、部品識別情報、盤内座標識別情報の各識別情報のいずれかを検索キーとして制御盤データベース８を検索することで必要なデータを抽出するのに用いられ、サーバ装置７と無線ＬＡＮなどで接続されている。
【００２６】
制御盤データベース８は、制御盤２の製造から廃棄までの管理を一貫的に支援するのに必要となる制御盤２や制御盤部品３に関する各種データを格納する。制御盤データベース８におけるデータの格納は、盤識別情報、部品識別情報、盤内座標識別情報の各識別情報のいずれかを検索キーとした検索により必要なデータの抽出を可能とするデータ構造でなされる。つまり以下に説明するような制御盤データベース８における各下位のデータベースでは、データベースの分野で一般的に用いられている適切な方式で各識別情報と関係付けられるようにして各種データが格納されることになる。
【００２７】
図３に制御盤データベース８の構成例を示す。図の例の場合、制御盤データベース８は、識別情報データベース２１、部品データベース２２、製造データベース２３、盤図書データベース２４、出荷時検査データベース２５、及び保守データベース２６を下位データベースとして含む構成とされている。
【００２８】
図４にこれら各下位データベースの構成例を示す。識別情報データベース２１は、盤識別情報を格納する盤識別情報データベース３１、盤内座標識別情報を格納する盤内座標識別情報データベース３２、及び部品識別情報を格納する部品識別情報データベース３３を下位データベースとして含む構成とされ、それら下位データベースにおける各識別情報の格納は、例えば一覧表の形態でなされる。例えば部品識別情報データベース３３の場合、部品識別情報として連続的な識別番号が用いられているとして、その連続的な識別番号について一覧表が作成され、その一覧表において各識別番号を一覧的に登録し、また各識別番号に対応する制御盤（当該識別番号の部品用ＲＦＩＤが使用されている制御盤部品が組み込まれている制御盤）や組込み位置座標（当該識別番号の部品用ＲＦＩＤが使用されている制御盤部品の組込み位置座標）をそれぞれの識別情報で登録する。こうした一覧表形式は、盤識別情報データベース３１と盤内座標識別情報データベース３２についても同様である。
【００２９】
部品データベース２２は、管理対象となる制御盤２ａ、２ｂ、…２ｘそれぞれに組み込まれている制御盤部品３に関するデータである部品データが一定の分類基準で分類されて格納される。図の例では、部品仕様データを格納する部品仕様データベース３４、部品原料データを格納する部品原料データベース３５、部品メーカデータを格納する部品メーカデータベース３６、部品取扱説明書データを格納する部品取扱説明書データベース３７を下位データベースとして含む構成のデータ分類とされている。
【００３０】
製造データベース２３は、管理対象となる制御盤２ａ、２ｂ、…２ｘそれぞれの製造に関するデータである製造データが一定の分類基準で分類されて格納される。図の例では、部品実装図データを格納する部品実装図データベース３８、作業指示図データを格納する作業指示図データベース３９、製造作業管理データを格納する製造作業管理データベース４０を下位データベースとして含む構成のデータ分類とされている。
【００３１】
盤図書データベース２４は、管理対象となる制御盤２ａ、２ｂ、…２ｘそれぞれの設計に関するデータである盤図書データが一定の分類基準で分類されて格納される。図の例では、展開接続図データを格納する展開接続図データベース４１、制御ソフトデータを格納する制御ソフトデータベース４２、取扱説明書データを格納する取扱説明書データベース４３を下位データベースとして含む構成のデータ分類とされている。
【００３２】
出荷時検査データベース２５は、管理対象となる制御盤２ａ、２ｂ、…２ｘそれぞれの出荷時検査に関するデータである出荷時検査データが一定の分類基準で分類されて格納される。図の例では、検査器具に関するデータを格納する検査器具データベース４４、検査記録データを格納する検査記録データベース４５を下位データベースとして含む構成のデータ分類とされている。
【００３３】
保守データベース２６は、管理対象となる制御盤２ａ、２ｂ、…２ｘそれぞれの保守に関するデータである保守データが一定の分類基準で分類されて格納される。図の例では、点検記録データを格納する点検記録データベース４６、使用記録データを格納する使用記録データベース４７を下位データベースとして含む構成のデータ分類とされている。
【００３４】
以下では、制御盤管理支援システム１で制御盤管理支援のためになされる必要なデータの制御盤データベース８からの検索・抽出について説明する。制御盤データベース８からのデータの検索・抽出は、ＲＦＩＤリーダ５と情報処理装置６を用いて行われ、図５に示すような流れとなる各処理過程（ステップ１０１〜ステップ１０６）を含む。
【００３５】
まずＲＦＩＤリーダ５によりＲＦＩＤ４（４ａ、４ｂ、４ｃ）から各識別情報のいずれかを読み取って情報処理装置６に取り込む（ステップ１０１）。識別情報の情報処理装置６への取込みがなされると、情報処理装置６の表示画面に制御盤データベース８についての選択画面（第１の選択画面）が表示される（ステップ１０２）。具体的には、制御盤データベース８おける各下位データベース（識別情報データベース２１、部品データベース２２、製造データベース２３、盤図書データベース２４、出荷時検査データベース２５、及び保守データベース２６）から必要な１つを選択するためにこれら各下位データベースのタイトルが一覧表示される。第１の選択画面が表示されたら、必要とする下位データベースを選択する（ステップ１０３）。すると、その選択された下位データベース、例えば部品データベース２２についての選択画面（第２の選択画面）が表示される（ステップ１０４）。具体的には、部品データベース２２おける各下位データベース（部品仕様データベース３４、部品原料データベース３５、部品メーカデータベース３６、部品取扱説明書データベース３７）から必要な１つを選択するためにこれら各下位データベースのタイトルが一覧表示される。第２の選択画面が表示されたら、必要とする下位データベースを選択する（ステップ１０５）。これにより必要とするデータを格納している最下位のデータベース、例えば部品仕様データベース３４が指定されるので、その部品仕様データベース３４について識別情報を検索キーとした検索を行い、当該検索キーに対応するデータを抽出して例えば情報処理装置６の表示画面に表示する（ステップ１０６）。
【００３６】
以下では、制御盤管理支援システム１による制御盤管理支援の例を説明する。支援例１は、保守作業などに際して制御盤部品３、例えばコントローラ３ｂの取扱説明書を必要とする場合で、この場合、ＲＦＩＤリーダ５でコントローラ３ｂの部品用ＲＦＩＤ４ａを読み取り、上述のような処理を経てコントローラ３ｂの取扱説明書が検索・抽出されて情報処理装置６の表示画面に表示される。
【００３７】
支援例２は、保守作業などに際して制御盤２ａの電磁開閉器３ｄについて電気配線を知りたい場合で、ＲＦＩＤリーダ５で制御盤２ａの盤用ＲＦＩＤ４ｂと電磁開閉器３ｄの部品用ＲＦＩＤ４ａを読み取り、それから上述のような処理において盤図書データベース２４の展開接続図データベース４１を選択することで、制御盤２ａにおける電磁開閉器３ｄに関する展開接続図が検索・抽出されて情報処理装置６の表示画面に表示される。
【００３８】
支援例３は、制御盤メーカで制御盤２ａを製造する場合である。まず、制御盤部品３が組み込まれる前の制御盤２ａの制御盤ボックスに盤用ＲＦＩＤ４ｂと盤内座標用ＲＦＩＤ４ｃを取り付ける。こうして準備された制御盤ボックスに制御盤部品３を組み込むにあたって、作業者はまず組込み対象の制御盤部品３の部品用ＲＦＩＤ４ａをＲＦＩＤリーダ５で読み取り、それから上述のような処理により部品実装図と作業指示書を呼び出す。部品実装図と作業指示書が呼び出されたら、それらに基づいて組込み作業を進め、組込み作業を終えたら、該当の制御盤部品３の部品用ＲＦＩＤ４ａをＲＦＩＤリーダ５で再度読み取るとともに、作業完了を情報処理装置６に入力する。そしてこれにより、製造作業管理データベース４０が更新される。このような製造過程での管理支援については、作業完了時の部品用ＲＦＩＤ４ａの読取りに際して、当該制御盤部品３の組込み位置座標に対応する盤内座標用ＲＦＩＤ４ｃも読み取ることで、その制御盤部品３が正しい位置に組み込まれたかの判定を自動的になさせるようにすることもできる。
【００３９】
支援例４は、制御盤２ａの製造が完了した後の出荷時検査の場合で、例えば情報処理装置６に出荷時検査モードを設定した状態で制御盤２ａにおける盤用ＲＦＩＤ４ｂ、盤内座標用ＲＦＩＤ４ｃ及び部品用ＲＦＩＤ４ａのそれぞれをＲＦＩＤリーダ５で読み取る。すると、その読み取った各識別情報を検索キーとして情報処理装置６が必要なデータ（部品実装図など）を制御盤データベース８から検索・抽出し、それに基づいて情報処理装置６が制御盤２ａにおける各制御盤部品３やその組込み位置を判定することで自動検査がなされる。
【００４０】
支援例５は、制御盤２ａの保守としてなされる点検の場合で、例えば情報処理装置６に点検モードを設定した状態で点検対象の制御盤部品３の部品用ＲＦＩＤ４ａをＲＦＩＤリーダ５で読み取る。すると、それで情報処理装置６に取り込まれた部品識別情報を検索キーとして点検記録データベース４６から、そこに格納されている該当の保守点検作業要領書や点検記録シートが検索・抽出されて情報処理装置６の表示画面に表示されるので、作業者は保守点検作業要領書に基づいて作業を進め、その結果を点検記録シートに記録する。またこのような保守点検における管理支援については、過去の保守点検についての記録を検索・抽出して参照するようにすることもでき、そのようにすることでより的確な保守点検をより迅速に行うことが可能となる。
【００４１】
支援例６は、制御盤２ａの制御盤部品３を廃棄する場合である。制御盤部品３を廃棄する場合、それが有害物質を含んでいるか否かにより扱いが変わってくる。そこで、廃棄対象の制御盤部品３の部品用ＲＦＩＤ４ａをＲＦＩＤリーダ５で読み取り、上述のような処理を経て該当の制御盤部品３についての部品材料データを検索・抽出して情報処理装置６の表示画面に表示し、その部品材料データから有害物質含有か否かを判定する。このように部品データベース２２に部品原料データベース３５を設け、この部品原料データベース３５に格納の部品材料データを廃棄対象制御盤部品の有害性を判定できるようにしたことは有用性が高い。すなわち制御盤部品がなされるのは制御盤の製造から長い時間を経た後であることから、従来ではその有害性判定に大きな手間を必要としていたのに対し、部品原料データベース３５を有する制御盤管理支援システム１によれば、すぐさま有害性判定の判定が可能となる。
【００４２】
以上、本発明を実施するための形態について説明したが、これは代表的な例に過ぎず、本発明はその趣旨を逸脱することのない範囲で様々な形態で実施することができる。例えば、上記実施形態では電子読取り式識別情報媒体としてＲＦＩＤを用いていたが、必要に応じてバーコードや２次元コードなどを用いるようにしてもよい。
【図面の簡単な説明】
【００４３】
【図１】一実施形態による制御盤管理支援システムの構成を模式化して示す図である。
【図２】ＲＦＩＤにおけるデータ記録構造の例を示す図である。
【図３】制御盤データベースの構成例を示す図である。
【図４】制御盤データベースにおける各下位データベースの構成例を示す図である。
【図５】制御盤データベースからのデータの検索・抽出における処理の流れを示す図である。
【符号の説明】
【００４４】
１    制御盤管理支援システム
２    制御盤
３    制御盤部品
４    ＲＦＩＤ（電子読取り式識別情報媒体）
５    ＲＦＩＤリーダ
６    情報処理装置
８    制御盤データベース
２１    識別情報データベース
２２    部品データベース
２３    製造データベース
２４    盤図書データベース
２６    保守データベース
【図１】
2010009397.tif 000003
【図２】
2010009397.tif 000004
【図３】
2010009397.tif 000005
【図４】
2010009397.tif 000006
【図５】
2010009397.tif 000007